(57)【特許請求の範囲】
【請求項１】
前、後面部、上面部、底面部及び左、右面部を有する箱状の筐体を備え、該筐体の上面部又は底面部の何れか一方の面部に左右方向に沿うように形成された一方の係合部と、
ホルダー本体に、縦にした前記筐体を挿入収容する収容部を形成してこの収容部に前記一方の係合部に係合する他方の係合部を形成したホルダーとを備えたことを特徴とする電気機器装置の固定構造。
【請求項２】
前記一方の係合部が、前記筐体の前記上面部又は底面部の少なくとも一方の面部に左右方向に沿うように設けた放熱孔部のスリット又は突部間の溝のうち少なくとも一方により構成され、前記他方の係合部が、前記収容部の端縁部により構成した請求項１記載の電気機器装置の固定構造。
【発明の詳細な説明】
【０００１】
【産業上の利用分野】
本発明は、通信端末装置のような電気機器装置を縦方向に固定して使用する電気機器装置の固定構造に関するものである。
【０００２】
【従来の技術】
電気機器装置を縦方向で使用する場合、これを倒れないように両側を他の物体で固定するなどしていた。
【０００３】
【発明が解決しようとする課題】
しかしながら、上記のように電気機器装置を使用するのに、他の物体で固定する場合、電気機器装置を固定するスペースを多く必要とするためユーザ側の利用拡大を図ることが出来ず、少ないスペースで電気機器装置の縦置きを可能とする必要があった。
【０００４】
本発明は、上記問題点に着目して成されたものであって、その目的とするところは、電気機器装置の縦方向の固定を容易に行い得て、少ないスペースで電気機器装置の使用が可能となり、ユーザー側の利用拡大が図れる電気機器装置の固定構造を提供することにある。
【０００５】
【課題を解決するための手段】
上記の目的を達成するために、本発明は、前、後面部、上面部、底面部及び左、右面部を有する箱状の筐体を備え、該筐体の上面部又は底面部の何れか一方の面部に左右方向に沿うように形成された一方の係合部と、ホルダー本体に、縦にした前記筐体を挿入収容する収容部を形成してこの収容部に前記一方の係合部に係合する他方の係合部を形成したホルダーとを備えたことを特徴とする。
【０００６】
そして、一方の係合部が、前記筐体の前記上面部又は底面部の少なくとも一方の面部に左右方向に沿うように設けた放熱孔部のスリット又は突部間の溝のうち少なくとも一方により構成され、前記他方の係合部が、前記収容部の端縁部により構成したものである。
【０００７】
【作用】
かかる構成により、筐体を縦にして、この筐体の少なくとも前後側の部分をホルダーの収容部に挿入して一方の係合部に他方の係合部を係合して、これらのホルダーで電気機器装置の横方向の倒れと、前後方向の動きを押さえることによりこの電気機器装置の縦方向の固定を行う。このために、電気機器装置の縦方向の固定が容易に行えて、少ないスペースで電気機器装置の使用が可能となり、ユーザー側の利用拡大が図れる。
【０００８】
【実施例】
以下、本発明の一実施例を図面に基づいて説明する。図１は本発明に係わる電気機器装置の固定構造の分解状態の斜視図、図２は本発明に係わる固定構造により固定された電気機器装置の斜視図、図３は図２のＸ方向から見た斜視図、図４は図２のＹ方向から見た斜視図、図５はホルダーの斜視図である。
【０００９】
図面中１は通信端末装置のような電気機器装置であり、２はホルダーであり、３は脚体である。
【００１０】
前記電気機器装置１は箱状の筐体２０を備えており、この筐体２０は前、後面部２０ａ、２０ｂと、上面部２０ｃと、底面部２０ｄと、左、右面部２０ｅ、２０ｆとを有する。そして、この筐体２０の前面部２０ａには表示パネル５、６と、集合コネクタ７と、スイッチ８とが設けてあり、後面部２０ｂにはコネクタ１０、１１と、電源スイッチ１２と、電源ケーブル１３と、アースターミナル１４とが設けてあり、底面部２０ｄには、その四隅に位置させて脚部９が設けてある。
【００１１】
また、前記筐体２０の上面部２０ｃの両側部から左、右面部２０ｅ、２０ｆにかけて放熱孔部１Ｂ、１Ｄが設けてある。この放熱孔部１Ｂ、１Ｄは、前記筐体２０の上面部２０ｃ及び左、右面部２０ｅ、２０ｆの面部にかけて左右方向に沿うスリット１ａを所定のピッチで前後方向に複数形成して構成されていて、スリット１ａが一方の係合部になっている。
【００１２】
また、前記筐体２０の底面部２０ｄの両側部には放熱孔部１Ｆが設けてある。この放熱孔部１Ｆは、前記筐体２０の底面部２０ｄの左右方向面部に左右方向に沿うスリット１ｃを所定のピッチで前後方向に複数形成して構成されていて、これらのスリット１ｃ間の部分に突部１ｂが形成してあり、隣り合う突部１ｂ間の溝１ｄが一方の係合部になっている。
【００１３】
そして、図３に示すように前記筐体２０の上面部２０の両側部から左、右面部２０ｅ、２０ｆにかけて設けた放熱孔部１Ｂのスリット１ａと、底面部２０ｄの両側部に設けた放熱孔部１Ｆの突部１ｂの間に形成した溝１ｄとは同一直線上に配置してある。
【００１４】
前記ホルダー２は図５に示すように板状をコ字形に成形して成るホルダー本体２１を備えており、このホルダー本体２１にはコ字形状の収容部２Ａが形成してある。この収容部２Ａの端縁部２ａの板厚は、前記電気機器装置１の放熱孔部１Ｂ及び１Ｆのスリット１ｃ及び溝１ｄの幅より小さくしてあり、この端縁部２ａが他方の係合部になっている。また、ホルダー本体２１の下縁部には一対の突部２ｂが形成してある。また、前記脚体３はゴムのような弾性体より成り、その中央部に孔３ａを有している。
【００１５】
次に、上記のように構成された電気機器装置１の固定構造の組み立て動作を説明する。
【００１６】
まず、電気機器装置１を、これの左面部２０ｅを下にした縦にして、その放熱孔部１Ｄを上にした状態で、電気機器装置１の放熱孔部１Ｂ及び１Ｆに設けたスリット１ａ及び溝１ｄに、前記ホルダー２のコ字形の収容部２Ａの端縁部２ａを係合する。ここで、前記電気機器装置１の放熱孔部１Ｂ及び１Ｆに設けたスリット１ａ及び溝１ｄと、ホルダー２のコ字形の収容部２Ａの端縁部２ａとの係合は、当該電気機器装置１の横方向の倒れと、前後方向の動きを押さえている。
【００１７】
また、図４に示すように電気機器装置１の放熱孔部１Ｂのスリット１ａの端部１ｅと、ホルダー２のコ字形の収容部２Ａの端縁部２ａの先端２ｃとの係合は、電気機器装置１を垂直に固定させるための位置決めとしている。
【００１８】
最後に、ホルダー２の下部に、これの突部２ｂに孔３ａを挿入して脚体３を取り付けて電気機器装置１の固定構造の組立てを完了する。
【００１９】
上記の実施例にあたっては、電気機器装置１を、これの左面部２０ｅを下にして縦にした状態で、電気機器装置１の放熱孔部１Ｂ及び１Ｆに設けたスリット１ａ及び溝１ｄに、コ字形の収容部２Ａの端縁部２ａを係合してホルダー２を取り付け、電気機器装置１の横方向の倒れと、前後方向の動きを押さえることによりこの電気機器装置の縦方向の固定を容易に行うことができる。このため、少ないスペースで電気機器装置の使用が可能となり、ユーザ側の利用拡大が図れる。
【００２０】
【発明の効果】
以上説明したように、本発明は、前、後面部、上面部、底面部及び左、右面部を有する箱状の筐体を備え、該筐体の上面部又は底面部の何れか一方の面部に左右方向に沿うように形成された一方の係合部と、ホルダー本体に、縦にした前記筐体を挿入収容する収容部を形成してこの収容部に前記一方の係合部に係合する他方の係合部を形成したホルダーとを備えたから、筐体を縦にして、この筐体の少なくとも前後側の部分をホルダーの収容部に挿入して一方の係合部に他方の係合部を係合して、これらのホルダーで電気機器装置の横方向の倒れと、前後方向の動きを押さえることによりこの電気機器装置の縦方向の固定を行う。このために、電気機器装置の縦方向の固定が容易に行えて、少ないスペースで電気機器装置の使用が可能となり、ユーザー側の利用拡大が図れる。
【００２１】
また、本発明にあっては、一方の係合部が、前記筐体の前記上面部又は底面部の少なくとも一方の面部に左右方向に沿うように設けた放熱孔部のスリット又は突部間の溝のうち少なくとも一方により構成され、前記他方の係合部が、前記収容部の端縁部により構成したものであることから、係合部を改めて形成すること必要がなく低コストが図れる。
【図面の簡単な説明】
【図１】本発明に係わる電気機器装置の固定構造の分解状態の斜視図である。
【図２】本発明に係わる固定構造により固定された電気機器装置の斜視図である。
【図３】図２のＸ方向から見た斜視図である。
【図４】図２のＹ方向から見た斜視図である。
【図５】ホルダーの斜視図である。
【符号の説明】
１    電気機器装置
１ａ  スリット（一方の係合部）
１ｄ  溝（一方の係合部）
１Ｂ  放熱孔部
１Ｆ  放熱孔部
２    ホルダー
２Ａ  収容部
２ａ  端縁部（他方の係合部）
【図１】
0003571087.tif 000002
【図２】
0003571087.tif 000003
【図３】
0003571087.tif 000004
【図４】
0003571087.tif 000005
【図５】
0003571087.tif 000006